(57)【要約】【課題】  デジタルカメラ等の画像蓄積装置と印刷装置等の画像処理装置とを直接接続し、印刷するシステムにおいて、画像処理装置の状態に応じて、印刷中等の情報を、ユーザに分かり易く表現することができ、しかも、デジタルカメラにおいて無駄な電力を低減させることができる画像蓄積装置、画像処理装置および画像処理システムを提供することを目的とするものである。【解決手段】  蓄積されている画像、文字情報を表示し、しかも、点灯／消灯が可能である画像表示手段と、画像を選択し、印刷を設定し、上記所定の画像処理装置に印刷指示する操作手段と、上記画像処理装置に印刷を要求する印刷要求手段と、上記画像表示手段を点灯／消灯制御するコマンドを、上記画像処理装置から受け取り、上記画像表示手段を点灯／消灯制御する点灯制御手段とを有する画像蓄積装置である。【選択図】  図５
2006338571.tif 000002
【特許請求の範囲】
【請求項１】
蓄積されている画像、文字情報を表示し、しかも、点灯／消灯が可能である画像表示手段と；
所定の画像処理装置に接続する画像処理装置接続手段と；
画像を選択し、印刷を設定し、上記所定の画像処理装置に印刷指示する操作手段と；
上記画像処理装置接続手段を介して、上記画像処理装置に印刷を要求する印刷要求手段と；
上記画像処理装置接続手段を介して、上記画像表示手段を点灯／消灯制御するコマンドを、上記画像処理装置から受け取り、上記画像表示手段を点灯／消灯制御する点灯制御手段と；
を有することを特徴とする画像蓄積装置。
【請求項２】
画像を印刷する印刷手段と；
ジョブを行っている間に、ジョブ中であることを表示するジョブ中表示手段と；
所定の画像蓄積装置と接続する画像蓄積装置接続手段と；
上記画像蓄積装置接続手段を介して接続されている画像蓄積装置の画像表示手段を、点灯／消灯するコマンドを送出するコマンド送出手段と；
を有することを特徴とする画像処理装置。
【請求項３】
請求項２において、
上記ジョブは、上記画像蓄積装置から上記画像処理装置へ送る上記画像蓄積装置のデータを、上記画像処理装置で印刷するジョブであることを特徴とする画像処理装置。
【請求項４】
蓄積されている画像、文字情報を表示し、しかも、点灯、消灯が可能である画像表示手段と、所定の画像処理装置に接続する画像処理装置接続手段と、画像を選択し、印刷を設定し、上記所定の画像処理装置に印刷指示する操作手段と、上記画像処理装置接続手段を介して、上記画像処理装置に印刷を要求する印刷要求手段と、上記画像処理装置接続手段を介して、上記画像表示手段を点灯／消灯制御する点灯するコマンドを、上記画像処理装置から受け取り、上記画像表示手段を点灯／消灯制御する点灯制御手段とを具備する画像蓄積装置と；
画像を印刷する印刷手段と、ジョブを行っている間に、ジョブ中であることを表示するジョブ中表示手段と、所定の画像蓄積装置と接続する画像蓄積装置接続手段と、上記画像蓄積装置接続手段を介して接続されている画像蓄積装置の画像表示手段を、点灯／消灯するコマンドを送出するコマンド送出手段とを具備する画像処理装置と；
を有し、上記画像蓄積装置が上記画像処理装置にジョブを要求し、上記画像処理装置に設けられている画像表示手段が、ジョブを実行中であることを表示できる手段であれば、上記要求したジョブに関して上記画像処理装置が動作している間に、上記画像蓄積装置の上記画像表示手段を消灯させることを特徴とする画像処理システム。
【請求項５】
請求項４において、
上記ジョブは、上記画像蓄積装置から上記画像処理装置へ送る上記画像蓄積装置のデータを、上記画像処理装置で印刷するジョブであることを特徴とする画像処理システム。
【請求項６】
設定が可能な操作手段と；
画像を印刷する印刷手段と；
ジョブを行っている間に、ジョブ中であることを表示するジョブ中表示手段と；
所定の画像蓄積装置と接続する画像蓄積装置接続手段と；
上記所定の画像処理装置が、上記画像蓄積装置のジョブを行っているときに、上記画像蓄積手段の表示手段を消灯するかどうかを判断する点灯制御判断手段と；
上記画像蓄積装置接続手段を介して接続されている画像蓄積装置の画像表示手段を、点灯／消灯するコマンドを送出するコマンド送出手段と；
を有することを特徴とする画像処理装置。
【請求項７】
蓄積されている画像、文字情報を表示し、しかも、点灯／消灯が可能である画像表示手段と、所定の画像処理装置に接続する画像処理装置接続手段と、画像を選択し、印刷を設定し、上記所定の画像処理装置に印刷指示する操作手段と、上記画像処理装置接続手段を介して、上記画像処理装置に印刷を要求する印刷要求手段と、上記画像処理装置接続手段を介して、上記画像表示手段を点灯／消灯制御するコマンドを、上記画像処理装置から受け取り、上記画像表示手段を点灯／消灯制御する点灯制御手段とを具備する画像蓄積装置と；
設定が可能な操作手段と、画像を印刷する印刷手段と、ジョブを行っている間に、ジョブ中であることを表示するジョブ中表示手段と、所定の画像蓄積装置と接続する画像蓄積装置接続手段と、上記所定の画像処理装置が、上記画像蓄積装置のジョブを行っているときに、上記画像蓄積手段の表示手段を消灯するかどうかを判断する点灯制御判断手段と、上記画像蓄積装置接続手段を介して接続されている画像蓄積装置の画像表示手段を、点灯／消灯するコマンドを送出するコマンド送出手段とを具備する画像処理装置と；
を有することを特徴とする画像処理システム。
【請求項８】
請求項７において、
上記画像表示手段の点灯制御判断手段は、上記画像処理装置の操作部によって設定が可能な設定手段であり、上記設定手段の値に応じて、上記画像表示手段を点灯するかどうかを判断する手段であることを特徴とする画像処理装置。
【請求項９】
請求項７において、
上記点灯制御判断手段は、上記画像処理装置が印刷する枚数による判断であり、上記画像蓄積装置からの印刷指示によって上記画像処理装置が印刷する場合における印刷枚数に応じて、上記画像表示手段を点灯するかどうかを判断する手段であることを特徴とする画像処理システム。
【請求項１０】
請求項７において、
上記点灯制御判断手段は、上記画像処理装置のバッテリ残量による判断であり、上記画像蓄積装置からの印刷指示によって画像処理装置で印刷する場合における上記画像蓄積装置のバッテリ残量の状況に応じて、上記画像表示手段を点灯するかどうかを判断する手段であることを特徴とする画像処理システム。
【請求項１１】
請求項１〜請求項１０のいずれか１項において、
上記画像蓄積装置のジョブを終了したときに、上記画像処理装置から上記画像蓄積装置の表示部を制御するコマンドを送出することによって、上記画像蓄積装置の表示手段を制御することを特徴とする画像処理システム。
【請求項１２】
請求項１〜請求項１０のいずれか１項において、
上記画像処理装置がジョブ中に、上記画像処理装置でエラーが発生した際に、上記画像処理装置と上記画像蓄積装置との接続手段を通して、上記画像蓄積装置の画像表示手段が消灯されている場合は、点灯させることを特徴とする画像処理システム。
【請求項１３】
請求項１〜請求項１０のいずれか１項において、
上記画像処理装置がジョブ中に、上記画像蓄積装置の操作手段が操作されたときに、上記画像蓄積装置の画像表示手段が消灯されていれば、上記画像蓄積装置の画像表示手段を点灯させることを特徴とする画像処理システム。
【請求項１４】
請求項１〜請求項１０のいずれか１項において、
上記画像蓄積装置は、デジタルカメラであることを特徴とする画像処理システム。
【請求項１５】
蓄積されている画像、文字情報を画像表示手段に表示し、しかも、上記画像表示手段を点灯／消灯する画像表示工程と；
画像蓄積装置を所定の画像処理装置に接続する画像処理装置接続工程と；
画像を選択し、印刷を設定し、上記所定の画像処理装置に印刷指示する操作工程と；
上記画像処理装置に印刷を要求する印刷要求工程と；
上記画像表示手段を点灯／消灯制御するコマンドを、上記画像処理装置から受け取り、上記画像表示装置を点灯／消灯制御する点灯制御工程と；
を有することを特徴とする画像蓄積装置の制御方法。
【請求項１６】
画像を印刷する印刷工程と；
ジョブを行っている間に、ジョブ中であることを表示するジョブ中表示工程と；
画像処理装置を所定の画像蓄積装置と接続する画像蓄積装置接続工程と；
上記画像蓄積装置の画像表示装置を、点灯／消灯するコマンドを送出するコマンド送出工程と；
を有することを特徴とする画像処理装置の制御方法。
【請求項１７】
蓄積されている画像、文字情報を画像表示手段に表示し、しかも、上記画像表示手段を点灯、消灯する画像表示工程と；
上記画像表示手段を所定の画像処理装置に接続する画像処理装置接続工程と；
画像を選択し、印刷を設定し、上記所定の画像処理装置に印刷指示する操作工程と；
上記画像処理装置に印刷を要求する印刷要求工程と；
上記画像表示工程を点灯／消灯制御する点灯するコマンドを、上記画像処理装置から受け取り、上記画像表示手段を点灯／消灯制御する点灯制御工程と；
画像を印刷する印刷工程と、ジョブを行っている間に、ジョブ中であることを表示するジョブ中表示工程と；
上記画像蓄積装置の画像表示手段を、点灯／消灯するコマンドを送出するコマンド送出工程と；
を有し、上記画像蓄積装置が上記画像処理装置にジョブを要求し、上記画像処理装置に設けられている画像表示手段が、ジョブを実行中であることを表示できる手段であれば、上記要求したジョブに関して上記画像処理装置が動作している間に、上記画像蓄積装置の上記画像表示工程を消灯させることを特徴とする画像処理システムの制御方法。
【請求項１８】
設定が可能な操作工程と；
画像を印刷する印刷工程と；
ジョブを行っている間に、ジョブ中であることを表示するジョブ中表示工程と；
所定の画像蓄積装置と接続する画像蓄積装置接続工程と；
上記所定の画像処理装置が、上記画像蓄積装置のジョブを行っているときに、上記画像蓄積工程の表示手段を消灯するかどうかを判断する点灯制御判断工程と；
上記画像蓄積装置の画像表示手段を、点灯／消灯するコマンドを送出するコマンド送出工程と；
を有することを特徴とする画像処理装置の制御方法。
【請求項１９】
蓄積されている画像、文字情報を表示し、しかも、点灯／消灯が可能である画像表示工程と；
画像を選択し、印刷を設定し、上記所定の画像処理装置に印刷指示する操作工程と；
上記画像処理装置に印刷を要求する印刷要求工程と；
上記画像表示手段を点灯／消灯制御するコマンドを、上記画像処理装置から受け取り、上記画像表示手段を点灯／消灯制御する点灯制御工程と；
画像を印刷する印刷工程と；
ジョブを行っている間に、ジョブ中であることを表示するジョブ中表示工程と；
上記所定の画像処理装置が、上記画像蓄積装置のジョブを行っているときに、上記画像蓄積手段の表示手段を消灯するかどうかを判断する点灯制御判断工程と；
上記画像蓄積装置の画像表示手段を、点灯／消灯するコマンドを送出するコマンド送出工程と；
を有することを特徴とする画像処理システムの制御方法。
【請求項２０】
蓄積されている画像、文字情報を画像表示手段に表示し、しかも、上記画像表示手段を点灯／消灯する画像表示手順と；
画像蓄積装置を所定の画像処理装置に接続する画像処理装置接続手順と；
画像を選択し、印刷を設定し、上記所定の画像処理装置に印刷指示する操作手順と；
上記画像処理装置に印刷を要求する印刷要求手順と；
上記画像表示手段を点灯／消灯制御するコマンドを、上記画像処理装置から受け取り、上記画像表示装置を点灯／消灯制御する点灯制御手順と；
を画像蓄積装置に実行させるプログラム。
【請求項２１】
画像を印刷する印刷手順と；
ジョブを行っている間に、ジョブ中であることを表示するジョブ中表示手順と；
画像処理装置を所定の画像蓄積装置と接続する画像蓄積装置接続手順と；
上記画像蓄積装置の画像表示装置を、点灯／消灯するコマンドを送出するコマンド送出手順と；
を画像処理装置に実行させるプログラム。
【請求項２２】
蓄積されている画像、文字情報を画像表示手段に表示し、しかも、上記画像表示手段を点灯、消灯する画像表示手順と；
上記画像表示手段を所定の画像処理装置に接続する画像処理装置接続手順と；
画像を選択し、印刷を設定し、上記所定の画像処理装置に印刷指示する操作手順と；
上記画像処理装置に印刷を要求する印刷要求手順と；
上記画像表示手順を点灯／消灯制御する点灯するコマンドを、上記画像処理装置から受け取り、上記画像表示手段を点灯／消灯制御する点灯制御手順と；
画像を印刷する印刷手順と、ジョブを行っている間に、ジョブ中であることを表示するジョブ中表示手順と；
上記画像蓄積装置の画像表示手段を、点灯／消灯するコマンドを送出するコマンド送出手順と；
上記画像蓄積装置が上記画像処理装置にジョブを要求し、上記画像処理装置に設けられている画像表示手段が、ジョブを実行中であることを表示できる手段であれば、上記要求したジョブに関して上記画像処理装置が動作している間に、上記画像蓄積装置の上記画像表示手順を消灯させる手順と；
を画像処理に実行させるプログラム。
【請求項２３】
設定が可能な操作手順と；
画像を印刷する印刷手順と；
ジョブを行っている間に、ジョブ中であることを表示するジョブ中表示手順と；
所定の画像蓄積装置と接続する画像蓄積装置接続手順と；
上記所定の画像処理装置が、上記画像蓄積装置のジョブを行っているときに、上記画像蓄積手順の表示手段を消灯するかどうかを判断する点灯制御判断手順と；
上記画像蓄積装置の画像表示手段を、点灯／消灯するコマンドを送出するコマンド送出手順と；
を画像処理装置に実行させるプログラム。
【請求項２４】
蓄積されている画像、文字情報を表示し、しかも、点灯／消灯が可能である画像表示手順と；
画像を選択し、印刷を設定し、上記所定の画像処理装置に印刷指示する操作手順と；
上記画像処理装置に印刷を要求する印刷要求手順と；
上記画像表示手段を点灯／消灯制御するコマンドを、上記画像処理装置から受け取り、上記画像表示手段を点灯／消灯制御する点灯制御手順と；
画像を印刷する印刷手順と；
ジョブを行っている間に、ジョブ中であることを表示するジョブ中表示手順と；
上記所定の画像処理装置が、上記画像蓄積装置のジョブを行っているときに、上記画像蓄積手段の表示手段を消灯するかどうかを判断する点灯制御判断手順と；
上記画像蓄積装置の画像表示手段を、点灯／消灯するコマンドを送出するコマンド送出手順と；
を画像処理システムに実行させるプログラム。
【発明の詳細な説明】
【技術分野】
【０００１】
本発明は、画像処理装置および画像蓄積装置における表示部制御方法に関する。
【背景技術】
【０００２】
近年、印刷装置、デジタルカメラが普及、発展を遂げ、印刷装置とデジタルカメラとを直接接続し、印刷する方法が知られている。
【０００３】
従来、デジタルカメラのデータを、パソコンに一度保存し、この保存されているデータに基づいて、印刷する手順を採用しているが、この手順の実行が面倒であるので、直接印刷したいユーザ、またパソコンを持っていないユーザが、印刷したいという要望に、上記方法は応えた技術である。
【０００４】
上記方法を実行する場合、デジタルカメラと印刷装置とを接続し、印刷する際に、印刷装置に表示部がなければ、印刷の現在の状態がユーザに伝わりにくいので、デジタルカメラの表示部に、現在印刷中等を表示する。
【０００５】
しかし、デジタルカメラの液晶表示は、バッテリを大きく消耗するので、印刷を続けている間中、液晶を表示し続けると、デジタルカメラのバッテリが直ぐになくなるという問題がある。
【０００６】
これに対して、従来例では、デジタルカメラが電池で駆動しているか、電池以外の電源を接続して動作させているかを判別し、デジタルカメラが電池駆動である場合、デジタルカメラの表示を消すことが知られている（たとえば、特許文献１参照）。
【特許文献１】特開平１１−８８８１４号公報
【発明の開示】
【発明が解決しようとする課題】
【０００７】
しかし、上記従来例において、印刷側に表示装置を持たず、しかも、印刷中に、デジタルカメラの画面を消すと、ユーザにとって、印刷状態が分からないという問題がある。
【０００８】
また、上記従来例において、デジタルカメラを電池駆動している場合、表示を消すように制御することができないので、デジタルカメラにおいて、バッテリの消費電力低減につながらないという問題がある。
【０００９】
本発明は、デジタルカメラ等の画像蓄積装置と印刷装置等の画像処理装置とを直接接続し、印刷するシステムにおいて、画像処理装置の状態に応じて、印刷中等の情報を、ユーザに分かり易く表現することができ、しかも、デジタルカメラにおいて無駄な電力を低減させることができる画像蓄積装置、画像処理装置および画像処理システムを提供することを目的とするものである。
【課題を解決するための手段】
【００１０】
本発明は、蓄積されている画像、文字情報を表示し、しかも、点灯／消灯が可能である画像表示手段と、画像を選択し、印刷を設定し、上記所定の画像処理装置に印刷指示する操作手段と、上記画像処理装置に印刷を要求する印刷要求手段と、上記画像表示手段を点灯／消灯制御するコマンドを、上記画像処理装置から受け取り、上記画像表示手段を点灯／消灯制御する点灯制御手段とを有する画像蓄積装置である。
【発明の効果】
【００１１】
本発明によれば、デジタルカメラ等の画像蓄積装置と印刷装置等の画像処理装置とを接続し、画像蓄積装置から印刷を指示する場合、画像蓄積装置の表示器（たとえば、液晶表示器）を点灯する必要がなければ、画像処理装置が画像蓄積装置の表示器を消灯するように制御するので、無駄な電力を低減させることができるという効果を奏する。
【００１２】
請求項４、7、１７、２２記載の発明によれば、画像蓄積手段が表示手段を消灯しているときに、画像処理装置で表示を行うので、印刷中の必要な情報をユーザにわかりやすく表現することができるという効果を奏する。
【００１３】
請求項１２記載の発明によれば、画像蓄積装置の表示を消すので、印刷ジョブ実行中の表示を画像蓄積装置でできないが、印刷中に表示する必要があるエラー情報があれば、画像蓄積装置の表示手段を点灯するので、必要な情報をユーザに対して表示することができるという効果を奏する。
【発明を実施するための最良の形態】
【００１４】
発明を実施するための最良の形態は、次の実施例である。
【実施例１】
【００１５】
図１は、本発明の実施例１である画像処理システムを構成する画像処理装置１００の概略構成を示すブロック図である。
【００１６】
画像処理装置１００は、プリンタ等で構成され、ＣＰＵ１と、ＲＯＭ２と、ＲＡＭ３と、画像メモリ４と、データ変換部５と、読取制御部６と、読取部７と、操作表示部（「操作部」、「表示部」ともいう）８と、通信制御部９と、解像度変換処理部１０と、符号復号化処理部１１と、記録制御部１２と、記録部１３と、給紙部１４と、ＵＳＢファンクション制御部１５と、データ蓄積部１６と、ＵＳＢホスト制御部１７と、ＣＰＵバス１８とを有する。
【００１７】
また、画像処理装置１００は、メモリカード２００と、デジタルカメラ３００とに接続されている。
【００１８】
ＣＰＵ１は、システム制御部であり、画像処理装置１００の全体を制御する。
【００１９】
ＲＯＭ２は、ＣＰＵ１が実行する制御プログラムや組み込みオペレーティングシステム（ＯＳ）プログラム等を格納する。実施例１では、ＲＯＭ２に格納されている各制御プログラムは、ＲＯＭ２に格納されている組み込みＯＳの管理下で、スケジューリングやタスクスイッチ等のソフトウエアを制御する。
【００２０】
ＲＡＭ３は、ＳＲＡＭ（ｓｔａｔｉｃ  ＲＡＭ）等で構成され、プログラム制御変数等を格納し、また、オペレータが登録した設定値や画像処理装置１００の管理データ等を格納し、各種ワーク用バッファ領域が設けられている。
【００２１】
画像メモリ４は、ＤＲＡＭ（ｄｙｎａｍｉｃ  ＲＡＭ）等で構成され、画像データを蓄積する。
【００２２】
データ変換部５は、ページ記述言語（ＰＤＬ）等の解析や、キャラクタデータのＣＧ（ｃｏｍｐｕｔｅｒ  ｇｒａｐｈｉｃｓ）展開等、画像データを変換する。
【００２３】
読取制御部６は、読取部７が、ＣＩＳイメージセンサ（密着型イメージセンサ）によって原稿を光学的に読み取り、電気的な画像データに変換した画像信号を、図示しない画像処理制御部を介して、２値化処理や中間調処理等の各種画像処理を施し、高精細な画像データを出力する。なお、実施例１では、読取制御部６は、原稿を搬送しながら読み取りを行うシート読取制御方式と、原稿台にある原稿をスキャンするブック読取制御方式との両制御方式に対応している。
【００２４】
操作表示部８は、数値入力キー、文字入力キー、ワンタッチ電話番号キー、モード設定キー、決定キー、取り消しキー等を備え、ユーザが画像送信相手先データの決定や登録値の設定データや省エネモードの設定の登録動作を行うための操作部と、各種キー、ＬＥＤ（発光ダイオード）と、ＬＣＤ（液晶ディスプレイ）等によって構成され、オペレータによる各種入力操作や、画像処理装置１００の動作状況、ステータス状況の表示等を行う表示部である。
【００２５】
このＬＣＤ等の表示器は、点灯と消灯とを切り換え制御することができ、消灯することによって消費電力を削減することができる。特に、照明用の光源を備えるものでは、光源を消灯することによって、消費電力を大きく削減することができる。
【００２６】
通信制御部９は、ＭＯＤＥＭ（変復調装置）や、ＮＣＵ（網制御装置）等によって構成されている。実施例１では、通信制御部９は、アナログの通信回線（ＰＳＴＮ）４００に接続され、Ｔ３０プロトコルでの通信制御、通信回線に対する発呼と着呼等の回線を制御する。
【００２７】
解像度変換処理部１０は、画像データのミリ−インチ解像度変換等、解像度変換制御を行う。なお、解像度変換処理部１０は、画像データの拡大縮小処理も可能である。
【００２８】
符号復号化処理部１１は、画像処理装置１００で扱う画像データ（ＭＨ、ＭＲ、ＭＭＲ、ＪＢＩＧ、ＪＰＥＧ等）を符号復号化処理や、拡大縮小処理を行う。
【００２９】
記録制御部１２は、印刷される画像データについて、図示しない画像処理制御部を介して、スムージング処理や記録濃度補正処理、色補正等の各種画像処理を施し、高精細な画像データに変換し、記録部１３に出力する。また、記録部１３を制御することによって、記録部１３の状態情報を、定期的に取得する役割も果たす。
【００３０】
記録部１３は、レーザビームプリンタやインクジェットプリンタ等からなる印刷装置であり、カラー画像データ、またはモノクロ画像データを印刷部材に印刷する。
【００３１】
給紙部１４は、印刷のための用紙を保持することができる部位である。記録制御部１２による制御によって、給紙部１４から給紙を行うことができる。特に、給紙部１４は、複数種類の用紙を１つの装置に保持するので、複数の給紙部を用意することができる。そして、記録制御部１２が、どの給紙部から給紙を行うのかを制御する。
【００３２】
ＵＳＢファンクション制御部１５は、ＵＳＢインタフェースの通信制御を行うものであり、ＵＳＢ通信規格に従って、プロトコル制御を行い、ＣＰＵ１が実行するＵＳＢ制御タスクからのデータを、パケットに変換し、外部の情報処理端末に、ＵＳＢパケットを送信する。ＵＳＢファンクション制御部１５は、逆に、外部の情報処理端末からのＵＳＢパケットを、データに変換し、ＣＰＵ１に送信する。
【００３３】
データ蓄積部１６は、データを蓄積するための部位である。画像メモリ４を構成するＤＲＡＭでは、データバックアップ用の領域を用意していないので、実施例１では、データ蓄積部として、データ蓄積部１６に、データ保存領域を用意している。データ蓄積部１６は、画像メモリ４と共有するようにしてもよい。データ蓄積部１６に、データをバックアップ等することができる。実施例１では、画像メモリ４として、ＤＲＡＭを用いているが、ＤＲＡＭの代わりに、ハードディスクや揮発性メモリ等を使用するようにしてもよい。
【００３４】
ＵＳＢホスト制御部１７は、ＵＳＢ通信規格で定められているプロトコルで通信を行うための制御部である。ＵＳＢ通信規格は、双方向のデータ通信を高速に行うことができる規格であり、１台のホスト（マスター）に対し、複数のハブまたはファンクション（スレーブ）を接続することができる。
【００３５】
メモリカード２００は、データ記憶媒体であり、画像処理装置１００に接続することができる。実施例１では、インタフェースによって、ＵＳＢホスト制御部１７と接続されているが、この限りではない。ＵＳＢホスト制御部１７を通じて、画像のデータやその他電子データを、メモリカード２００内のデータにアクセスすることができる。
【００３６】
実施例１において、記録機能のＵＳＢ通信は、１対１の接続形態を用いている。
【００３７】
上記構成要素１〜６、８〜１４は、ＣＰＵ１が管理するＣＰＵバス１８を介して、相互に接続されている。
【００３８】
図２は、画像処理装置１００における操作部８の具体例を示す図である。
【００３９】
操作部８は、ＬＣＤ２１と、電源キー２２と、コピーモードキー２３と、フィルムモードキー２４と、スキャンモードキー２５と、フォトモードキー２６と、メニューキー２７と、ユーザ設定キー２８と、フォトインデックスシートキー２９と、マイナスキー３０と、プラスキー３１と、セットキー３２と、スライドショーキー３３と、用紙設定キー３４と、フィーダセレクトキー３５と、ＳＴＯＰキー３６と、モノクロスタートキー３７と、カラースタートキー３８とを有する。
【００４０】
ＬＣＤディスプレイ２１は、メッセージやオペレーションプロンプト、各種情報を表示するディスプレイである。電源キー２２は、装置の電源をＯＮ／ＯＦＦするためのキーである。コピーモードキー２３は、画像処理装置１００をコピーができる状態にするためのキーである。コピーモードキー２３を押下することによって、画像処理装置１００をコピーモードにすることができる。
【００４１】
ファックスモードキー２４を押下することによって、画像処理装置１００をファックスモードにすることができる。スキャンモードキー２５は、画像処理装置１００がスキャンできる状態にするためのキーである。スキャンモードキー２５を押下することによって、画像処理装置１００をスキャンモードにすることができる。
【００４２】
フォトモードキー２６は、画像処理装置１００がデジタル写真のカードやカメラからダイレクト印刷できる状態にするためのキーである。フォトモードキー２６を押下することによって、画像処理装置１００をフォトモードにすることができる。
【００４３】
メニューキー２７は、コピーやファックス、カードからのダイレクト印刷等の実行時の設定値を設定する項目を表示するためのキーである。メニューキー２７を押下することによって、実行用の設定項目をＬＣＤ２１に表示することができ、プラスキー３１やマイナスキー３０等で選択し、セットキー３２でセットすることができる。
【００４４】
ユーザ設定キー２８は、ユーザが装置に設定する設定値を登録するための画面を表示するキーである。ユーザ設定キー２８を押下することによって、ユーザ設定項目をＬＣＤ２１に表示することができ、プラスキー３１やマイナスキー３０等で選択し、セットキー３２でセットすることができる。
【００４５】
フォトインデックスシートキー２９は、フォトインデックスシートを印刷または読取るための画面に移行するためのキーである。画像処理装置１００に、メモリカード２００が挿入されている状態で、フォトインデックスシートキー２９が押下されると、フォトインデックスシートの印刷、または読取を指示できる画面に移行する。プラスキー３１やマイナスキー３０等によって、読取であるか印刷であるかを選択し、セットキー３２で、セットすることができる。なお、フォトインデックスシートについては、図３に関して、詳細しく後述する。
【００４６】
マイナスキー３０、プラスキー３１は、メニューやユーザ登録等、ユーザが複数の選択肢から選択する際に使用されるキーである。マイナス、プラスは、それぞれ逆順、正順である。セットキー３２は、選択された項目に対して決定を行うキーである。スライドショーキー３３は、表示を用いてメモリカード２００に格納されている画像を、表示部８に、順に表示する仕様である。
【００４７】
用紙設定キー３４は、これを押すことによって、コピーやその他印刷の設定の用紙設定を行うキーである。フィーダセレクトキー３５は、給紙部１４の給紙部が、複数の給紙部位を持つ場合、使用する給紙部に切り換える際に使用するキーである。
【００４８】
ＳＴＯＰキー３６は、ファクシミリ送受信、コピーやその他のオペレーション操作を停止させるキーである。モノクロスタートキー３７は、白黒ファクシミリ送信、白黒コピー等を開始するキーである。
【００４９】
カラースタートキー３８は、カラーファクシミリ送信、カラーコピー、カラー写真印刷等を開始するキーである。
【００５０】
図３は、実施例１において、画像処理装置１００としての印刷装置と、デジタルカメラ３００とを接続した場合における、各コマンドの内容を示す図である。
【００５１】
まず、印刷装置がデジタルカメラへ送るコマンドについて、説明する。
【００５２】
コマンドｄｉｓｐｌａｙ＿ＯＮは、画像処理装置１００からデジタルカメラ３００にデジタルカメラの表示部を点灯するように指示するコマンドである。それぞれ、ＯＫ、ＮＧのステータスを持つ。ＯＫであれば、デジタルカメラ側がコマンドを正しく受け取り、ＮＧであれば、コマンドを正しく受け取れなかったという状態を、デジタルカメラ側から画像処理装置１００へ返す。
【００５３】
コマンドｄｉｓｐｌａｙ＿ＯＦＦは、画像処理装置１００がデジタルカメラ３００に、デジタルカメラの表示部を消すように指示するコマンドである。それぞれ、ＯＫ、ＮＧのステータスを持つ。ＯＫであれば、デジタルカメラ側がコマンドを正しく受け取ったという状態を返し、ＮＧであれば、コマンドを正しく受け取れなかったという状態を、デジタルカメラ３００側から画像処理装置１００へ返す。
【００５４】
コマンドＢｕｔｔｅｒｙ＿ｃｈｅｃｋは、画像処理装置１００からデジタルカメラ３００に対して、デジタルカメラ３００のバッテリが残っている量を確認するコマンドである。デジタルカメラ３００からの返答として、バッテリＯＫ／バッテリ少／エラーがある。
【００５５】
次に、デジタルカメラ３００から、画像処理装置１００に送るコマンドについて、説明する。
【００５６】
コマンドｃｈｅｃｋ＿ｓｔａｔｕｓは、デジタルカメラ３００が、画像処理装置１００へ送るコマンドであって、画像処理装置１００の状態をチェックするコマンドである。それぞれ、ＯＫ、ＮＧのステータスを持つ。ＯＫであれば、画像処理装置１００が、特にステータスとして異常がない状態であることを意味し、ＮＧであれば、画像処理装置１００が異常状態である状態を、デジタルカメラ３００側から画像処理装置１００へ返す。
【００５７】
コマンドｐｒｉｎｔ＿ｃｈｅｃｋは、デジタルカメラ３００から、画像処理装置１００へ送るコマンドであって、デジタルカメラ３００の中にある画像を印刷するために、画像処理装置１００が印刷可能かどうかをチェックするコマンドであり、画像データを送るコマンドである。それぞれ、ＯＫ、ＮＧのステータスを持つ。ＯＫであれば、画像処理装置１００が特にステータスとして異常がなく、印刷データを受け取れた状態であることを意味し、ＮＧであれば、画像処理装置１００が印刷できない状態であることを示す。
【００５８】
コマンドｐｒｉｎｔ＿ｄａｔａは、デジタルカメラ３００が、画像処理装置１００へ印刷するデータを送るコマンドである。印刷する画像のデータの転送が終了したら、ＯＫを返す。転送時に何か問題が発生した場合は、ＮＧを返す。
【００５９】
コマンドｐｒｉｎｔ＿ｎｕｍは、印刷する枚数を、デジタルカメラ３００が、画像処理装置１００へ送るコマンドである。上記ｐｒｉｎｔ＿ｄａｔａの後に送るコマンドであり、ｐｒｉｎｔ＿ｄａｔａの画像を何枚印刷するかを示す情報である。ＯＫを返すときは、情報が正しく送られた場合であり、ＮＧを返したときは、正しく送られなかった場合である。
【００６０】
次に、デジタルカメラ３００と画像処置装置１００とが接続された場合、上記コマンドを使用して、デジタルカメラ３００が印刷する場合の動作について説明する。
【００６１】
図４は、実施例１において、デジタルカメラ３００を画像処理装置１００に接続した場合の動作を示すフローチャートである。
【００６２】
まず、Ｓ１では、画像処理装置１００のＵＳＢファンクション制御部１５に、デジタルカメラ３００が挿入されたかどうかを判別する。デジタルカメラ３００が挿入されていなければ、引き続き、Ｓ１で、デジタルカメラ３００が挿入されたかどうかを判別する。ここでは、デジタルカメラ３００と画像処理装置１００とは、ケーブルで接続されている。
【００６３】
なお、情報を相互にやり取りできる通信方法であれば、上記通信方法以外の通信方法を使用するようにしてもよい。
【００６４】
Ｓ１で、デジタルカメラ３００が挿入されていると、Ｓ２では、画像処理装置が印刷可能であるかどうかを調べる。印刷可能であれば、Ｓ４で、デジタルカメラ３００のデータを印刷するデジタルカメラ印刷モードとして動作を行う。この詳細は、後述する。
【００６５】
一方、Ｓ２で、印刷ができない状態であれば、Ｓ３で、現在は印刷ができないことを示すエラー情報を、デジタルカメラ３００に返す。この場合、図３で説明したコマンドを使用し、エラー情報をデジタルカメラ３００に送る。そして、再びＳ２において印刷が可能であるかどうかを調べる。
【００６６】
このようにして、画像処理装置１００は、デジタルカメラ３００を接続することによって、デジタルカメラ３００の画像を印刷するシステム（デジタルカメラ３００と画像処理装置１００とによって構成されているシステム）を実現することができる。
【００６７】
なお、実施例１では、画像処理装置１００に接続するものとして、デジタルカメラ３００を想定しているが、レンズを通して撮影が可能であり、その撮影したデータをデジタルで保持することができ、その装置側で画像の表示ができるものであれば、デジタルカメラ以外のものを、デジタルカメラ３００の代わりに使用するようにしてもよい。
【００６８】
次に、画像処理装置１００において、デジタルカメラ３００を表示制御するかどうかを判断する動作について説明する。
【００６９】
図５は、実施例１において、画像処理装置１００において、デジタルカメラ３００を表示制御するかどうかを判断する動作を示すフローチャートである。
【００７０】
つまり、図５は、図４で説明したように、画像処理装置１００にデジタルカメラ３００を接続し、デジタルカメラ印刷モードの状態における画像処理装置の動作を示す。
【００７１】
まず、Ｓ１１では、画像処理装置１００が、デジタルカメラ３００から印刷データが送られたかどうかを判別する。送られてこなければ、引き続き、Ｓ１１で、印刷データが送られたかどうかを判別する。Ｓ１１で、印刷データが送られてくれば、Ｓ１２では、印刷可能かどうかを判別する。印刷可能でなければ、Ｓ１２で、印刷可能になるまで待つ。Ｓ１２で、印刷が可能であると認識されれば、Ｓ１３では、印刷中を表示することができるかどうかを判別する。
【００７２】
実施例１では、画像処理装置１００の仕様に依存するので、判別は簡単であるが、別の方法として接続されたデジタルカメラ３００から、表示可能であるか否かの判断を確認する方法も考えられる。印刷中の表示が可能であれば、Ｓ１４では、デジタルカメラ３００の表示部を消灯する制御を実行する。この「デジタルカメラ３００の表示部を消灯する制御動作」を、図６において、詳細に記載してある。
【００７３】
一方、Ｓ１３で、表示可能ではないと判断されると、Ｓ１５では、デジタルカメラ３００の表示部を消灯制御しないで印刷処理を行う。この「デジタルカメラ３００の表示部を消灯制御しないで印刷処理を行う」動作を、図７において、詳細に記載してある。
【００７４】
上記方法によって、画像処理装置１００が「印刷中」の表示が可能であるか否かに応じて、デジタルカメラ３００の表示を消すか否かを判別する。なお、実施例１において、表示する対象を、「印刷中」に限定しているが、デジタルカメラ３００側から画像処理装置１００に、所定の動作を指示し、この指示に対する表示であれば、実施例１において、「印刷中」以外の表示を、「印刷中」の表示の代わりに使用するようにしてもよい。
【００７５】
次に、実施例１において、画像処理装置１００に接続されているデジタルカメラ３００の表示部を消灯制御する動作について説明する。
【００７６】
図６は、実施例１において、画像処理装置１００に接続されているデジタルカメラ３００の表示部を消灯制御する動作を示すフローチャートである。
【００７７】
Ｓ２１では、まず、画像処理装置１００に接続されているデジタルカメラ３００に、デジタルカメラ３００の表示部を消すコマンドを送る。Ｓ２２では、デジタルカメラ３００からの印刷データを印刷する。Ｓ２４では、エラーが起きたかどうかを判別し、エラーが起きていれば、Ｓ２３で、エラー状態の処理を実行する。エラー状態の処理については、図８において、詳細に説明する。
【００７８】
そして、エラーが解除されれば、Ｓ２２で、印刷の続きを実行する。Ｓ２４で、エラーが起きてないと判断されれば、Ｓ２５では、印刷が終了したかどうかを判断する。印刷が終了していなければ、引き続きＳ２２で、印刷を続ける。Ｓ２５で、印刷が終了したと判断されれば、Ｓ２６で、画像処理装置１００が、デジタルカメラ３００に対して、表示部を点灯するように指示し、終了する。
【００７９】
実施例１によれば、画像処理装置１００が、「印刷中」を表示できる場合、デジタルカメラ３００の表示部を消灯することによって、デジタルカメラ３００のバッテリ消耗を防ぐことができる。また、エラー等の状態が起きた場合、画像処理装置１００、デジタルカメラ３００の双方において、状況を確認できるようにするために、デジタルカメラ３００の表示部が消灯された場合でも、デジタルカメラ３００の表示部を再び点灯させるようにしてもよい。
【００８０】
次に、画像処理装置１００が、デジタルカメラ３００の表示部を消灯制御せずに、印刷処理する動作について説明する。
【００８１】
図７は、実施例１において、画像処理装置１００がデジタルカメラ３００の表示部を消灯制御せずに印刷処理する動作を示すフローチャートである。
【００８２】
Ｓ３１では、デジタルカメラ３００からの印刷データを印刷する。Ｓ３２では、エラーが起きたかどうかを判別し、エラーが起きていれば、Ｓ３３では、エラー状態の処理を実行する。このエラー状態の処理を、図８において、詳細に説明する。
【００８３】
エラーが解除されれば、Ｓ３１で、印刷の続きを実行する。また、Ｓ３２で、エラーが起きてないと判断されれば、Ｓ３４では、印刷が終了したかどうかを判断する。印刷が終了していなければ、Ｓ３２で、引き続き印刷を続ける。Ｓ３４で、印刷が終了したと判断されれば、終了する。
【００８４】
図６に示す動作とは異なり、図７に示す動作では、画像処理装置１００において「印刷中」と表示ができない場合を想定している。この際は、特に、カメラ側の設定をしなくても、デジタルカメラ３００の表示部を点灯したまま動作させることができる。特に、図７に示す動作では、画像処理装置１００（印刷装置側）に表示装置が無いので、デジタルカメラ３００に表示を出し続けることによって、ユーザに状態を示すことができる。
【００８５】
次に、実施例１におけるエラー状態の処理動作について説明する。
【００８６】
図８は、実施例１において、エラー状態の処理動作を示すフローチャートである。
【００８７】
まず、Ｓ４１では、デジタルカメラ３００の表示部が消えているかどうかを判別する。表示部が消えていたら、Ｓ４２では、画像処理装置１００が、デジタルカメラ３００に、表示を点灯するようにコマンドを送信する。Ｓ４３では、画像処理装置１００のエラーが解除されたかどうかを判別する。
【００８８】
エラーが解除されなければ、引き続きＳ４３で、エラーが解除されることを待ち続ける。エラーが解除されたら、Ｓ４４では、画像処理装置１００が、デジタルカメラ３００に対して表示を消すようにコマンドを送信する。Ｓ４１で、デジタルカメラ３００の表示部が消えていなければ、Ｓ４５では、画像処理装置１００のエラーが解除されたかどうかを判別する。エラーが解除されなければ、引き続きＳ４５で、エラーが解除されるのを待ち続ける。エラーが解除されたら、フローは終了する。
【００８９】
実施例１によれば、エラー解除時に、デジタルカメラ３００の表示部が消えていても、再び点灯させ、エラー解除を行ったら、再び消灯させることができ、これによって、ユーザが必要な時だけ点灯を行うことができる。
【００９０】
次に、実施例１において、画像処理装置１００に接続されているデジタルカメラ３００の表示部の点灯動作について説明する。
【００９１】
図９は、実施例１において、画像処理装置１００に接続されているデジタルカメラ３００の表示部の点灯動作を示すフローチャートである。
【００９２】
つまり、図９に示すフローチャートは、図４〜図７で説明したように、画像処理装置１００が動作した際に、画像処理装置１００に接続されているデジタルカメラ３００がどのように動作するかを示している。
【００９３】
まず、デジタルカメラ３００と画像処理装置１００との接続によって、印刷するシステムを動作させる場合、デジタルカメラ３００は、Ｓ５１では、画像処理装置１００に接続を要求する。これは、ユーザが、デジタルカメラ３００側に印刷を要求したら、デジタルカメラ３００の表示部に、デジタルカメラを画像処理装置１００に接続する要求を表示する。Ｓ５２では、画像処理装置１００にデジタルカメラ３００が接続されたかどうかを調べる。
【００９４】
接続されていなければ、Ｓ５２では、デジタルカメラ３００と画像処理装置１００との接続を待ち続ける。Ｓ５２で、デジタルカメラ３００と画像処理装置１００との接続が確認されると、Ｓ５３では、デジタルカメラ３００の表示部に、デジタルカメラ３００内の画像を表示する。Ｓ５４では、デジタルカメラ３００において、ユーザが印刷を指示したかどうかを判別する。ユーザが印刷しなければ、Ｓ５４では、ユーザが印刷を指示するまで待ち続ける。
【００９５】
Ｓ５４で、印刷が指示されると、Ｓ５５では、画像処理装置１００が、印刷データを送信する。この場合、デジタルカメラ３００において、印刷することをユーザが指定した印刷データを送る。Ｓ５６では、デジタルカメラ３００の表示部が「印刷中」を表示する。Ｓ５７では、接続されている画像処理装置１００から、デジタルカメラ３００の表示部を消灯するコマンドを受信したかどうかを判別する。このコマンドを受信すれば、Ｓ６１で、デジタルカメラ３００の表示部を消灯し、Ｓ６０に進む。
【００９６】
Ｓ５７で、消灯コマンドを受け取らなければ、Ｓ５８では、接続されている画像処理装置１００から、上記表示部を点灯するコマンドを受信したかどうかを判別する。
【００９７】
画像処理装置１００から、点灯するコマンドを受け取ると、Ｓ６２では、デジタルカメラ３００の表示部を点灯する。上記点灯するコマンドを受信しなければ、Ｓ５９では、デジタルカメラ３００のキーが押下されたかどうかを確認する。キーが押下されていれば、Ｓ６２では、デジタルカメラ３００の表示部を点灯する。なお、Ｓ６２で、点灯した後に、Ｓ６０へ進む。Ｓ５９で、キーが押下されなければ、Ｓ６０では、デジタルカメラ３００が印刷を指示したデータが、画像処理装置１００において印刷終了したかどうかを調べる。印刷が終わっていなければ、再びＳ５７に進み、印刷が終了していれば、本フローチャートを終了する。
【００９８】
実施例１によれば、画像処理装置１００とデジタルカメラ３００とを動作させることによって、デジタルカメラ３００とプリンタ（画像処理装置１００）とを接続し、デジタルカメラ３００から印刷を開始する場合に、印刷装置（画像処理装置１００）からデジタルカメラ３００の表示部を消灯する制御を行うことができ、ユーザに「印刷中」という状態が、印刷装置１００の表示装置に関わらず、２つの装置をつなげた状態で、どちらかに必ず表示をするので、省電力を意識しながら、「印刷中」をユーザに必ず伝えることができる。
【００９９】
なお、実施例１では、画像処理装置１００に接続して画像を送る装置が、デジタルカメラ３００であるが、画像処理装置１００に接続が可能であり、画像処理装置１００に動作を行わせる装置であれば、デジタルカメラ３００の代わりに、デジタルカメラ３００以外の装置を使用するようにしてもよい。また、実施例１において、デジタルカメラ３００から行わせる動作が、印刷であるが、デジタルカメラ３００から指示し、画像処理装置１００で行う動作は、印刷以外の動作であるとしてもよい。
【実施例２】
【０１００】
本発明の実施例２は、消灯制御をするかまたはしないかを制御する別の実施例である。
【０１０１】
実施例１における図５以外の構成、動作が、実施例２における構成、動作と同様であるので、図１〜図３の構成と、図４、図６〜図９の動作との説明を割愛する。
【０１０２】
つまり、実施例２は、図１〜図４、図６〜図９に示す構成の装置において、デジタルカメラ３００の消灯を制御するか行わないかに関する実施例である。
【０１０３】
実施例２において、デジタルカメラ３００の表示部を制御する場合に、デジタルカメラ３００の表示制御を行うか否かの設定を、画像処理装置１００側で行う動作について説明する。
【０１０４】
図１０は、実施例２において、デジタルカメラ３００の表示部を制御する場合に、デジタルカメラ３００の表示制御を行うか否かの設定を、画像処理装置１００側で行う動作を示すフローチャートである。
【０１０５】
まず、Ｓ７１では、メニューに入った（メニュー画面が表示された）かどうかを調べる。メニューに入るまで、Ｓ７１で、メニューに入ったかどうかを調べる。メニューに入ったら、Ｓ７２では、デジタルカメラ３００の表示部を、自動消灯するか否かのスイッチを設定する設定画面を表示する。
【０１０６】
次に、Ｓ７３では、設定がどうされたかを判別する。消灯制御するように設定されたら、Ｓ７４では、デジタルカメラ３００の表示部の自動消灯制御をＯＮに設定する。また、消灯制御しないように設定されていれば、Ｓ７５では、デジタルカメラ３００の表示部の自動消灯制御をＯＦＦに設定する。
【０１０７】
実施例２によれば、接続されているデジタルカメラ３００の表示部を制御するか否かを、接続されている画像処理装置１００に設けることができる。設定値によって、デジタルカメラ３００の消灯制御を分けることができる。
【０１０８】
次に、実施例２において、画像処理装置１００がデジタルカメラ３００の表示制御を行うかどうかを判断する動作について説明する。
【０１０９】
図１１は、実施例２において、画像処理装置１００がデジタルカメラ３００の表示制御を行うかどうかを判断するフローチャートである。
【０１１０】
つまり、図１１は、図４に示すフローチャートにおいて、画像処理装置１００にデジタルカメラ３００を接続したデジタルカメラ印刷モードの状態における画像処理装置１００の動作を示すフローチャートである。
【０１１１】
まず、Ｓ８１では、画像処理装置１００は、デジタルカメラ３００から印刷データが送られたかどうかを判別する。印刷データが送られなければ、引き続きＳ８１で、印刷データを待つ。Ｓ８１で、印刷データが送られてきたと判断されれば、Ｓ８２では、印刷可能かどうかを判別する。印刷可能でなければ、Ｓ８２で、印刷可能になるまで待ち続ける。Ｓ８２で、印刷が可能であることを認識することができれば、Ｓ８３では、図１０に示すフローチャートで設定したデジタルカメラ３００の表示部の自動消灯制御スイッチが、どう設定されているかを判別する。
【０１１２】
自動消灯制御スイッチを制御すると設定されていれば、Ｓ８４では、デジタルカメラ３００の表示部を消灯する制御を行う。この詳細動作を、図６に示してある。Ｓ８３で、自動消灯制御スイッチを制御しないと設定されていれば、Ｓ８５では、デジタルカメラ３００の表示部を消灯制御しないで印刷処理を行う。この詳細動作を、図７に示してある。
【０１１３】
実施例２によれば、画像処理装置１００が、印刷中の表示が可能であるか否かに基づいて、デジタルカメラ３００の表示を消すか否かを判別する。
【０１１４】
なお、実施例２において、表示する対象を、「印刷中」に限定しているが、デジタルカメラ３００側から画像処理装置１００に、所定の動作を指示し、この指示に対する表示であれば、実施例２において、「印刷中」以外の表示を、「印刷中」の表示の代わりに使用するようにしてもよい。
【０１１５】
実施例２によれば、画像処理装置１００とデジタルカメラ３００とを接続して印刷するときに、デジタルカメラ３００の表示部を制御する場合、画像処理装置１００側にスイッチを用意し、このスイッチの設定値に応じて、印刷中のデジタルカメラ３００の表示部を消灯制御することができる。このようにすれば、ユーザが設定値を自分で設定できるので、印刷中の表示部の省電力の設定を自由に行うことができる。
【０１１６】
なお、実施例２では、画像処理装置１００に接続し、画像を送って印刷させる装置として、デジタルカメラ３００を想定しているが、画像処理装置１００に接続が可能であり、画像処理装置１００に対して動作を行わせる装置であれば、デジタルカメラ３００以外の装置を、画像処理装置１００に接続し、画像を送って印刷させる装置として想定するようにしてもよい。
【０１１７】
また、実施例２において、デジタルカメラ３００から行わせる動作は、印刷であるが、デジタルカメラ３００から指示して、画像処理装置１００に行わせる動作であれば、印刷以外の動作を、実施例２に適用するようにしてもよい。
【実施例３】
【０１１８】
本発明の実施例３は、消灯制御をするかまたはしないかを制御する他の実施例である。
【０１１９】
実施例１における図５以外の構成、動作が、実施例３における構成、動作と同様であるので、図１〜図３の構成と、図４、図６〜図９の動作との説明を割愛する。
【０１２０】
つまり、実施例３は、図１〜図４、図６〜図９に示す構成の装置において、デジタルカメラ３００の消灯を制御するかまたはしないかに関する実施例である。
【０１２１】
図１２は、実施例３において、画像処理装置１００がデジタルカメラ３００の表示制御を行うかどうかを判断するフローチャートである。
【０１２２】
つまり、図１２は、画像処理装置１００にデジタルカメラ３００を接続したデジタルカメラ印刷モードにおける画像処理装置１００の状態を示すフローチャートである。
【０１２３】
まず、Ｓ９１では、デジタルカメラ３００から印刷データが送られてきたかどうかを判別する。送られてこなければ、引き続きＳ９１で、印刷データが送られたかどうかを調べる。Ｓ９１で、印刷データが送られたと判断すると、Ｓ９２では、印刷が可能かどうかを判別する。印刷可能でなければ、Ｓ９２で、印刷可能になるまで待ち続ける。Ｓ９２で、印刷が可能であると認識されれば、Ｓ９３では、デジタルカメラ３００から画像処理装置１００に指示された印刷ジョブの印刷枚数が、画像処理装置１００で設定されている消灯制限枚数を越えているかどうかを判別する。
【０１２４】
印刷枚数が設定されている消灯制限枚数を越えている場合、Ｓ９４では、デジタルカメラ３００の表示部を消灯する制御を行う。この詳細動作を、図６に示してある。Ｓ９３で、印刷枚数が、設定されている消灯制限枚数を越えていなければ、Ｓ９５で、デジタルカメラ３００の表示部を消灯制御せずに、印刷処理を行う。この詳細動作を、図７に示してある。
【０１２５】
実施例３では、画像処理装置１００で印刷する枚数によって、デジタルカメラ３００の表示を消すか否かを判別する。なお、実施例１では、表示する対象を、「印刷中」であるが、デジタルカメラ３００側から画像処理装置１００に対して動作指示を行い、それに対する表示であれば、表示する対象は、「印刷中」に限定する必要はない。
【０１２６】
実施例３によれば、画像処理装置１００とデジタルカメラ３００とを接続して印刷する場合、デジタルカメラ３００の表示部を制御するときに、デジタルカメラ３００から設定された印刷枚数に従って、印刷中のデジタルカメラ３００の表示部の消灯制御をするかまたはしないかを判断することができる。
【０１２７】
つまり、実施例３によれば、印刷枚数が多ければ、デジタルカメラ３００側で印刷中に待つ時間が長くなるので、その分、電力を多く消耗し、一方、印刷時間が長時間である場合、印刷が終了するまで、ユーザが「印刷中」の表示を見続けることがないので、表示を消すことにし、これによって、省電力を実現する。
【０１２８】
なお、実施例３において、画像処理装置１００に接続し、画像を送り、印刷する装置は、デジタルカメラ３００であるが、画像処理装置１００に接続が可能であり、画像処理装置１００に動作を行わせる装置であれば、デジタルカメラ３００以外の装置（たとえば、画像蓄積装置）を、画像処理装置１００に接続し、画像を送り、印刷させる装置として考えてもよい。
【０１２９】
実施例３において、デジタルカメラ３００から行わせる動作は、印刷であるが、デジタルカメラ３００から指示し、画像処理装置１００で動作する動作は、印刷以外の動作でもよい。
【実施例４】
【０１３０】
本発明の実施例４は、消灯制御をするかまたはしないかを制御するさらに他の実施例である。
【０１３１】
実施例１における図５以外の構成、動作が、実施例４における構成、動作と同様であるので、図１〜図３の構成と、図４、図６〜図９の動作との説明を割愛する。
【０１３２】
つまり、実施例４は、図１〜図４、図６〜図９に示す構成の装置において、デジタルカメラ３００の消灯を制御するか行わないかに関する実施例である。
【０１３３】
図１３は、実施例４において、画像処理装置１００がデジタルカメラ３００の表示制御を行うかどうかを判断するフローチャートである。
【０１３４】
つまり、図１３は、画像処理装置１００にデジタルカメラ３００を接続したデジタルカメラ印刷モードの状態における画像処理装置１００の動作を示すフローチャートである。
【０１３５】
まず、Ｓ１０１では、画像処理装置１００に、デジタルカメラ３００から印刷データが送られたかどうかを判別する。送られてこなければ、引き続きＳ１０１で、印刷データが送られてきたかどうかを調べる。Ｓ１０１で、印刷データが送られてきたと判断されれば、Ｓ１０２では、印刷可能かどうかを判別する。
【０１３６】
印刷可能でなければ、Ｓ１０２では、印刷可能になるまで待ち続ける。Ｓ１０２で、印刷が可能であると認識されれば、Ｓ１０３では、画像処理装置１００に接続されているデジタルカメラ３００の電池の残量情報を取得する。電池残量情報を取得したら、Ｓ１０４では、デジタルカメラ３００の電池残量が少ないかどうかを判別する。
【０１３７】
ここで、電池残量が少ないか否かを判別する場合、デジタルカメラ３００と画像処理装置１００との間で情報のやり取りを行い、判断するようにしてもよく、電池残量情報に基づいて判別するようにしてもよい。そして、デジタルカメラ３００の電池残量が少ないと判断されると、Ｓ１０５では、デジタルカメラ３００の表示部を消灯する制御を行う。この詳細動作を、図６に示してある。
【０１３８】
Ｓ１０４で、デジタルカメラ３００の電池残量が少ないと判断されない場合、Ｓ１０６では、デジタルカメラ３００の表示部を消灯制御せずに、印刷処理を行う。この詳細動作、図７に示してある。
【０１３９】
実施例４において、印刷動作を行うときに、接続されているデジタルカメラ３００の電池残量に応じて、デジタルカメラ３００の表示を消すか否かを判別する。
【０１４０】
実施例４では、表示する動作は、「印刷中」であるが、デジタルカメラ３００側から画像処理装置１００に動作を指示し、これに対する表示であれば、印刷中以外の動作について、表示するようにしてもよい。
【０１４１】
実施例４では、画像処理装置１００に接続し、画像を送り、印刷する装置は、デジタルカメラ３００であるが、画像処理装置１００に接続が可能であり、画像処理装置１００に動作を行わせる装置であれば、デジタルカメラ３００以外の装置を想定するようにしてもよく、つまり、デジタルカメラ３００以外の装置を、画像処理装置１００に接続し、画像を送り、印刷させるようにしてもよい。また、デジタルカメラ３００から行わせる動作が、実施例４では、印刷であるが、デジタルカメラ３００から指示し、画像処理装置１００で実行する動作であれば、印刷以外の動作を、デジタルカメラ３００から行わせる動作として想定するようにしてもよい。
【０１４２】
つまり、実施例４では、印刷装置（画像処理装置１００）とデジタルカメラ３００とが接続されている構成において、印刷装置（画像処理装置１００）側に接続されているデジタルカメラ３００の液晶を消すかどうかの判断処理を、印刷装置（画像処理装置１００）側に持たせる。そして、この判断処理の結果に従って、デジタルカメラ３００の表示部を消すと判断されれば、デジタルカメラ３００に、表示の消灯制御を行う。この場合、印刷装置側からデジタルカメラ３００にコマンド送信することによって、上記表示の消灯制御を実現する。
【０１４３】
実施例４によれば、印刷装置側に表示能力が無い場合に、カメラ側に印刷状態を表示することができ、印刷装置が表示能力を有する場合には、デジタルカメラ３００で表示すると、消費電力を無駄に消費するので、デジタルカメラ３００の表示を消す。
【０１４４】
これによって、画像処理装置１００の状態に応じて、印刷中等の情報を、ユーザに分かり易く表現しつつ、無駄な電力を低減させることができる。
【０１４５】
つまり、上記実施例によれば、デジタルカメラ３００と印刷装置とを接続し、デジタルカメラ３００から印刷を指示する場合、液晶を点灯する必要がなければ、印刷装置からデジタルカメラ３００の液晶を消灯するように制御するので、印刷中等の情報は、印刷装置またはデジタルカメラ３００のユーザにわかりやすく表現することができ、しかも、無駄な電力を低減させることができる。
【０１４６】
また、上記実施例によれば、印刷中であることを印刷装置に表示できれば、デジタルカメラ３００の表示を消すが、印刷中であることを印刷装置が表示できなければ、デジタルカメラ３００の表示を消さないので、印刷装置の表示装置に関わらず、印刷中という状態を、印刷装置またはデジタルカメラ３００上のどちらかで、必ずユーザに伝え、しかも、印刷中であることを印刷装置に表示できれば、デジタルカメラ３００の液晶を消すので、省電力化を実現することができる。
【０１４７】
つまり、上記実施例によれば、印刷装置の持つ表示形態に基づいて、デジタルカメラ３００側の画面の点灯／消灯を制御することができ、動作の状態を、ユーザに伝えることができるシステムを提供することができ、ユーザに状況を把握しやすいＵＩを維持しながら省電力も実現することができる。
【０１４８】
上記実施例をプログラムの発明として把握することができ、すなわち、上記実施例は、蓄積されている画像、文字情報を画像表示手段に表示し、しかも、上記画像表示手段を点灯／消灯する画像表示手順と、画像蓄積装置を所定の画像処理装置に接続する画像処理装置接続手順と、画像を選択し、印刷を設定し、上記所定の画像処理装置に印刷指示する操作手順と、上記画像処理装置に印刷を要求する印刷要求手順と、上記画像表示手段を点灯／消灯制御するコマンドを、上記画像処理装置から受け取り、上記画像表示装置を点灯／消灯制御する点灯制御手順とを画像蓄積装置に実行させるプログラムの例である。
【０１４９】
また、上記実施例は、画像を印刷する印刷手順と、ジョブを行っている間に、ジョブ中であることを表示するジョブ中表示手順と、画像処理装置を所定の画像蓄積装置と接続する画像蓄積装置接続手順と、上記画像蓄積装置の画像表示装置を、点灯／消灯するコマンドを送出するコマンド送出手順とを画像処理装置に実行させるプログラムの例である。
【０１５０】
さらに、上記実施例は、蓄積されている画像、文字情報を画像表示手段に表示し、しかも、上記画像表示手段を点灯、消灯する画像表示手順と、上記画像表示手段を所定の画像処理装置に接続する画像処理装置接続手順と、画像を選択し、印刷を設定し、上記所定の画像処理装置に印刷指示する操作手順と、上記画像処理装置に印刷を要求する印刷要求手順と、上記画像表示手順を点灯／消灯制御する点灯するコマンドを、上記画像処理装置から受け取り、上記画像表示手段を点灯／消灯制御する点灯制御手順と、画像を印刷する印刷手順と、ジョブを行っている間に、ジョブ中であることを表示するジョブ中表示手順と、上記画像蓄積装置の画像表示手段を、点灯／消灯するコマンドを送出するコマンド送出手順と、上記画像蓄積装置が上記画像処理装置にジョブを要求し、上記画像処理装置に設けられている画像表示手段が、ジョブを実行中であることを表示できる手段であれば、上記要求したジョブに関して上記画像処理装置が動作している間に、上記画像蓄積装置の上記画像表示手順を消灯させる手順とを画像処理に実行させるプログラムの例である。
【０１５１】
そして、上記実施例は、設定が可能な操作手順と、画像を印刷する印刷手順と、ジョブを行っている間に、ジョブ中であることを表示するジョブ中表示手順と、所定の画像蓄積装置と接続する画像蓄積装置接続手順と、上記所定の画像処理装置が、上記画像蓄積装置のジョブを行っているときに、上記画像蓄積手順の表示手段を消灯するかどうかを判断する点灯制御判断手順と、上記画像蓄積装置の画像表示手段を、点灯／消灯するコマンドを送出するコマンド送出手順とを画像処理装置に実行させるプログラムの例である。
【０１５２】
また、上記実施例は、蓄積されている画像、文字情報を表示し、しかも、点灯／消灯が可能である画像表示手順と、画像を選択し、印刷を設定し、上記所定の画像処理装置に印刷指示する操作手順と、上記画像処理装置に印刷を要求する印刷要求手順と、上記画像表示手段を点灯／消灯制御するコマンドを、上記画像処理装置から受け取り、上記画像表示手段を点灯／消灯制御する点灯制御手順と画像を印刷する印刷手順と、ジョブを行っている間に、ジョブ中であることを表示するジョブ中表示手順と、上記所定の画像処理装置が、上記画像蓄積装置のジョブを行っているときに、上記画像蓄積手段の表示手段を消灯するかどうかを判断する点灯制御判断手順と、上記画像蓄積装置の画像表示手段を、点灯／消灯するコマンドを送出するコマンド送出手順とを画像処理システムに実行させるプログラムの例である。
【図面の簡単な説明】
【０１５３】
【図１】本発明の実施例１である画像処理システムを構成する画像処理装置１００の概略構成を示すブロック図である。
【図２】画像処理装置１００における操作部８の具体例を示す図である。
【図３】実施例１において、画像処理装置１００としての印刷装置とデジタルカメラ３００とを接続した場合における、各コマンドの内容を示す図である。
【図４】実施例１において、デジタルカメラ３００を画像処理装置１００に接続した場合の動作を示すフローチャートである。
【図５】実施例１において、画像処理装置１００において、デジタルカメラ３００を表示制御するかどうかを判断する動作を示すフローチャートである。
【図６】実施例１において、画像処理装置１００に接続されているデジタルカメラ３００の表示部を消灯制御する動作を示すフローチャートである。
【図７】実施例１において、画像処理装置１００がデジタルカメラ３００の表示部を消灯制御せずに印刷処理する動作を示すフローチャートである。
【図８】実施例１において、エラー状態の処理動作を示すフローチャートである。
【図９】実施例１において、画像処理装置１００に接続されているデジタルカメラ３００の表示部の点灯動作を示すフローチャートである。
【図１０】実施例２において、デジタルカメラ３００の表示部を制御する場合に、デジタルカメラ３００の表示制御を行うか否かの設定を、画像処理装置１００側で行う動作を示すフローチャートである。
【図１１】実施例２において、画像処理装置１００がデジタルカメラ３００の表示制御を行うかどうかを判断するフローチャートである。
【図１２】実施例３において、画像処理装置１００がデジタルカメラ３００の表示制御を行うかどうかを判断するフローチャートである。
【図１３】実施例４において、画像処理装置１００がデジタルカメラ３００の表示制御を行うかどうかを判断するフローチャートである。
【符号の説明】
【０１５４】
１００…画像処理装置、
１…ＣＰＵ、
４…画像メモリ、
８…操作表示部、
２００…メモリカード、
３００…デジタルカメラ。
【図１】
2006338571.tif 000003
【図２】
2006338571.tif 000004
【図３】
2006338571.tif 000005
【図４】
2006338571.tif 000006
【図５】
2006338571.tif 000007
【図６】
2006338571.tif 000008
【図７】
2006338571.tif 000009
【図８】
2006338571.tif 000010
【図９】
2006338571.tif 000011
【図１０】
2006338571.tif 000012
【図１１】
2006338571.tif 000013
【図１２】
2006338571.tif 000014
【図１３】
2006338571.tif 000015